(57)【要約】    【課題】  本発明は、結婚式、披露宴等において、簡単な方法で効果的に情報を提供しうる情報の提供方法を提供する。    【解決手段】  結婚当事者の写真をイメージ情報として取り込んでコンピュータで再生可能な動画データを作成する工程、及びロビー、待合室入口、受付、その他宴出席者が閲覧可能な場所に設置されたディスプレイに前記動画データを繰り返し表示させる工程を含むことを特徴とする情報の提供方法である。【選択図】  図２
2005033729.tif 000002
【特許請求の範囲】
【請求項１】
結婚当事者の写真をイメージ情報として取り込んでコンピュータで再生可能な動画データを作成する工程、及び
ロビー、待合室入口、受付、その他宴出席者が閲覧可能な場所に設置されたディスプレイに前記動画データを繰り返し表示させる工程を含むことを特徴とする情報の提供方法。
【請求項２】
前記動画データが記録された記録媒体を結婚当事者に提供する工程をさらに含むことを特徴とする請求項１記載の情報の提供方法。
【請求項３】
前記ディスプレイは、床面に載置されかつ移動自在な基台から立ち上がる支持フレームの上端でほぼ腰高さに支持され、かつ前記基台の内部に収納されたコンピュータ本体とで移動式コンピュータを構成するとともに、
しかも前記コンピュータ本体は、前記動画データが記録された記録媒体を読み取り可能なドライブ装置を有することを特徴とする請求項１又は２記載の情報の提供方法。
【請求項４】
前記ディスプレイは、動画データを表示する表示部の周囲を額縁状に化粧仕上げしてなる請求項１乃至３のいずれかに記載の情報の提供方法。
【請求項５】
前記記録媒体が、コンパクトディスク又はデジタルバーサタイルディスクであることを特徴とする請求項２又は３に記載の情報の提供方法。
【請求項６】
床面に載置されかつ移動自在な基台と、該基台から立ち上がる支持フレームの上端でほぼ腰高さに支持されたディスプレイと、
前記基台の内部に収納されかつ前記ディスプレイと接続されたコンピュータ本体とを具え、
しかもコンピュータ本体は、動画データが記録された記録媒体を読み取り可能なドライブ装置を有することを特徴とする情報の提供装置。
【発明の詳細な説明】
【技術分野】
【０００１】
本発明は、結婚式、披露宴等の各種の宴において、簡単な方法で効果的に情報を提供しうる情報の提供方法及び装置に関する。
【背景技術】
【０００２】
例えばホテルでの披露宴などに際して、ロビー、待合室入口、受付、その他宴出席者が閲覧可能な場所には、例えば図１１、図１２に示すように、結婚当事者の名前、日付、歓迎ないし感謝の意を表すメッセージなどを装飾的に記載したウエルカムボードａなるものが設置される。該ウエルカムボードａは、結婚当事者に代わって宴出席者等を出迎える役割を果たすとともに、披露宴が終了した後は、結婚当事者に結婚披露の記念品として提供される。
【発明の開示】
【発明が解決しようとする課題】
【０００３】
しかしながら、従来のウエルカムボードａは、額縁付きのものや、鏡面仕上げの板材に前記各種のメッセージ等を装飾的に記載して工夫を凝らしたものが存在してはいるが、いずれもメッセージ等が変化せずに固定的であるため単調になりやすい。また表示させる情報量にも限界があるため、個性を発揮し難い。また、ウエルカムボード自体は比較的形状も大きく、披露宴の都度搬入しなければならず、その取り扱いに難がある。
【０００４】
本発明は、以上のような問題点に鑑み案出なされたもので、結婚当事者の写真をイメージ情報として取り込んでコンピュータで再生可能な動画データを作成する工程、及びロビー、待合室入口、受付、その他宴出席者が閲覧可能な場所に設置されたディスプレイに前記動画データを繰り返し表示させる工程を含むことを基本として、情報量の制限を受けることなく、かつ多様化した各種のメッセージを披露宴出席者等に提供しうるとともに、コスト的にも有利な情報の提供方法を提案することを目的としている。
【０００５】
また請求項６記載の発明は、床面に載置されかつ移動自在な基台と、該基台から立ち上がる支持フレームの上端でほぼ腰高さに支持された液晶ディスプレイとを有し、かつ前記基台の内部に前記液晶ディスプレイと接続されたコンピュータ本体が収納され、しかもコンピュータ本体は、動画データが記録された記録媒体を読み取り可能なドライブ装置を有すること基本として、会場の受付、待合室の入口又は披露宴会場待合室の入口などに自在に移動させて、記録媒体に記録された動画データを再生して各種の場所で情報を提供しうる情報の提供装置を提供することを目的としている。
【課題を解決するための手段】
【０００６】
本発明のうち請求項１記載の発明は、結婚当事者の写真をイメージ情報として取り込んでコンピュータで再生可能な動画データを作成する工程、及びロビー、待合室入口、受付、その他宴出席者が閲覧可能な場所に設置されたディスプレイに前記動画データを繰り返し表示させる工程を含むことを特徴とする情報の提供方法である。
【０００７】
また請求項２記載の発明は、前記動画データが記録された記録媒体を結婚当事者に提供する工程をさらに含むことを特徴とする請求項１記載の情報の提供方法である。
【０００８】
また請求項３記載の発明は、前記ディスプレイは、床面に載置されかつ移動自在な基台から立ち上がる支持フレームの上端でほぼ腰高さに支持され、かつ前記基台の内部に収納されたコンピュータ本体とで移動式コンピュータを構成するとともに、しかも前記コンピュータ本体は、前記動画データが記録された記録媒体を読み取り可能なドライブ装置を有することを特徴とする請求項１又は２記載の情報の提供方法である。
【０００９】
また請求項４記載の発明は、前記ディスプレイは、動画データを表示する表示部の周囲を額縁状に化粧仕上げしてなる請求項１乃至３のいずれかに記載の情報の提供方法である。
【００１０】
また請求項５記載の発明は、前記記録媒体が、コンパクトディスク又はデジタルバーサタイルディスクであることを特徴とする請求項２又は３に記載の情報の提供方法である。
【００１１】
また請求項６記載の発明は、床面に載置されかつ移動自在な基台と、該基台から立ち上がる支持フレームの上端でほぼ腰高さに支持されたディスプレイと、前記基台の内部に収納されかつ前記ディスプレイと接続されたコンピュータ本体とを具え、しかもコンピュータ本体は、動画データが記録された記録媒体を読み取り可能なドライブ装置を有することを特徴とする情報の提供装置である。
【発明の効果】
【００１２】
請求項１記載の発明では、結婚当事者の写真をイメージ情報として取り込んでコンピュータで再生可能な動画データを宴出席者が閲覧可能な場所で繰り返し表示させる工程を含む。このような動画は、出席者を出迎えるいわゆるウエルカムムービとして役立つ。また動画データは、ウエルカムボードにのような固定的なメッセージとは異なりメッセージなどを自由に変化て表示しうるため、出席者により多くの情報を伝達するのに役立つ。さらに動画データは、結婚当事者の写真をイメージ情報として取り込んで作成されるため、製作に要する手間、時間、コストを大幅に軽減でき、生産性を向上しうる。
【００１３】
また請求項２記載の発明のように、前記動画データが記録された記録媒体を結婚当事者に提供する工程をさらに含むときには、結婚当事者は家庭等で自らの写真が取り込まれた動画データを再生し鑑賞することができる。従って、前記記録媒体は結婚の記念品として有効に利用できる。この記録媒体としては、請求項５記載の発明のように、コンパクトディスク又はデジタルバーサタイルディスクのように汎用性を有するものが特に望ましい。
【００１４】
また請求項３記載の発明のように、移動式コンピュータのディスプレイで動画データを表示するときには、各種の場所に簡単に移動させて利用でき、使い勝手を大幅に高め得る。またコンピュータ本体は、基台で目隠しすることが可能となり見映えの悪化を防止できる。さらにコンピュータ本体は、動画データが記録された記録媒体を読み取り可能なドライブ装置を有するため、特別な装置を有することなく動画データを繰り返し再生し情報の提供が可能となり、より使い勝手を高めうる。
【００１５】
また請求項４記載の発明のように、前記ディスプレイは、動画データを表示する表示部の周囲を額縁状に化粧仕上げされたときには、披露宴会場等のような場所においてもその雰囲気を損ねることなく設置されて、出席者に数多くの情報を提供するのに役立つ。
【００１６】
また請求項６記載の発明のように、床面に載置されかつ移動自在な基台と、該基台から立ち上がる支持フレームの上端でほぼ腰高さに支持されたディスプレイと、前記基台の内部に収納されかつ前記ディスプレイと接続されたコンピュータ本体とを具え、しかもコンピュータ本体は、動画データが記録された記録媒体を読み取り可能なドライブ装置を有するときには、ディスプレイを各種の位置に移動させて動画データを再生することができる。またコンピュータ本体は、基台で目隠しすることが可能となるため、装置の見映えが悪化するのを防止できる。
【発明を実施するための最良の形態】
【００１７】
以下、本発明の実施の一形態を図面に基づき説明する。
【００１８】
図１は、本発明の実施形態として、宴が結婚披露宴である場合の情報の提供方法の主な流れを示し、また図２はその流れをさらに具体化して示す。以下、順に説明する。
【００１９】
本実施形態の情報の提供方法では、結婚当事者の写真２を１ないし複数枚準備する工程が含まれている（ステップＳ１）。本発明で言う写真２には、例えば紙媒体に現像されたものだけではなく、デジタルカメラで撮影されたデジタルデータのものも含まれる。写真２には、好ましくは新郎、新婦が一緒に撮影されたカットのみならず、各々が個々に撮影されたカットを含むことが望ましい。さらに好ましくは、個々に撮影されたカットの中には、誕生時、幼少期、少年期、成人期、現在といったように、個人の成長過程がわかるような時間的ずれをもたせた数カットを含ませるのが特に望ましい。さらに写真２は、結婚当事者から直接借用しても良いし、また両親、親戚等の近親者や同僚、友人等から提供を受けることもできる。
【００２０】
準備された写真２は、情報の提供サービスを行うサービス提供会社へ供給される。サービス提供会社は、借用した写真をイメージ情報として取り込んだ動画データを作成し（ステップＳ２）、これを記録媒体に記録する（ステップＳ３）。動画データを作成するステップＳ２は、例えば図３に示すような手順にて行うことができる。
【００２１】
本実施形態では、動画データを作成するに際して、先ず写真２からそのイメージ情報を取得する（ステップＳ２１）。イメージ情報を取得するには、例えば図２に示すように、イメージスキャナ、フィルスキャナ等のイメージ読取装置Ｓを用いて容易に行うことができる。写真２が当初からデジタルデータの場合、この作業は不要である。
【００２２】
次に、予め設定された複数のひな型動画ファイルから結婚当事者が希望する一の動画ファイルを選択する（ステップＳ２２）。ひな型動画ファイルとは、写真２のイメージ情報や必要なレタリング（文字）等の貼り付け枠が確保されたものである。図４には、ひな型動画ファイルの映像信号部のいくつかのフレームを具体的に示す。（Ａ）のものはオープニングタイトルのフレームを例示する。鎖線で囲まれた領域は、結婚当事者の名前を入力するためのレタリング差し込み枠４ａを示している。それ以外の文字、図形、色彩などは、あらかじめ準備されている。従って、このレタリング差し込み枠４に、結婚当事者の名前を表示するデータを貼り付ける（ステップＳ２２）ことによってオープニングタイトルが完成する。なおオープニングタイトルは、数秒ないし数十秒間表示される。
【００２３】
また（Ｂ）のものは、オープニングタイトルに続く、フレームを例示している。ここには、結婚当事者から披露宴出席者に宛てたメッセージが定型文として既に記録されている。また定型文の末尾には、結婚当事者の名前を表示するデータを貼り付けるためのレタリング差し込み枠４ｂが設けられている。従って、レタリング差し込み枠４ｂに文字等を貼り付けることによって、このフレームを含む映像部を完成させることができる。
【００２４】
また（Ｃ）のものは、新郎の簡単なプロフィールを紹介するフレームを例示している。このフレームには、写真のイメージデータＰ１貼り付ける写真イメージ貼り付け枠５ａと、生年月日、血液型、特技等を記入することができるレタリング差し込み枠４ｃが設けられている。それ以外の部分、例えば写真イメージ貼り付け枠５ａの周囲の装飾や、タイトルなどは予め設定されている。前記各枠５ａ、４ｃに、新郎の写真２から取得したイメージデータＰや文字などを記録することによって、プロフィールフレームを完成させることができる（ステップＳ２２）。なお（Ｄ）のものは、新婦用のフレームで構成は新郎用のものとほぼ同様である。
【００２５】
また図５（Ａ）のものは、自由に写真、文字を貼り付けることができるフレームを例示しており、写真イメージ貼り付け枠５ｂないし５ｄと、レタリング差し込み枠４ｄとを含むものが例示される。また図５（Ｂ）のものは、写真イメージ貼り付け枠５ｅのみからなる自由なフレームが例示される。さらに、図５（ｃ）のものは、エンディングフレームを例示しており、ここでも、結婚当事者の名前を表示する情報を貼り付けるレタリング差し込み枠４ｅが設けられている。
【００２６】
このようにひな型動画ファイルには、予め大筋の動画データが作成されており、そこに適宜必要な写真イメージ、文字イメージ、模様等を付加等することによって、非常に能率良く結婚当事者を紹介する情報及び結婚当事者から披露宴出席者へのメッセージ情報などを含む動画データを作成することができる。なお複数のひな型動画ファイルは、前記写真イメージを取り込む位置や全体的な色使い、ＢＧＭ、効果音などの１以上を異ならせた複数のパターンのものが予め準備されており、結婚当事者の好みに応じたものが適宜選択される。
【００２７】
また写真イメージなどを貼り付ける編集作業に際しては、貼り付け枠を基調としつつも、これ以外の位置に写真イメージ等を貼り付けることも勿論可能であることは言うまでもない。また動画ファイル（動画データ）は、パーソナルコンピュ−タで編集が比較的容易に行えるもの、例えばＡＶＩやＭＰＥＧ形式のものが好適である。なお動画ファイルは、映像信号部のみならず音声信号部をも含むことができる。
【００２８】
次に、作成された動画ファイルを再生してチェックするいわゆるプレビュー作業を行い（ステップＳ２４）、不備があればステップＳ２２以降を再度繰り返し編集作業を行う。またプレビューの結果が良好であれば最終オーサリングが行われる（ステップＳ２５）。ここでは映像信号部と音声信号部とにおいて各種のフィルタ処理やビットレートなどが決定され、最終的な動画データを完成させる。完成した動画データは、コンピュータのハードディスクなどに一時的に記憶させて動画データの作成工程を終える（ステップＳ２６）。なお特に制限はないが、動画データの再生時間は例えば１ないし２分程度が望ましい。
【００２９】
次に、図１、図２に示したように、動画データの作成工程を終えると、動画データを記録媒体６に記録する（ステップＳ３）。記録媒体としては、特に制限はないが、比較的記憶容量が大きく多くの機器で再生が可能なものが好適であり、例えばコンパクトディスク又はデジタルバーサタイルディスクを用いるのが望ましい。
【００３０】
次に、作成された動画ファイルを、本実施形態では、披露宴会場の待合室入口に設置した移動式コンピュータ７のディスプレイ１０で繰り返し再生表示させる（ステップＳ４）。再生する場所は、上記待合室入口に限定されるものではなく、例えばロビー、受付、その他披露宴出席者が閲覧可能な場所であれば適宜変更することが可能である。これにより、披露宴の出席者は、新郎、新婦に対面するに先立ち、この動画データからの情報の提供により、該動画データを介して新郎新婦の歓迎を受けることができる。また動画データは、従来の固定的なウエルカムボードに比べて、より多くの情報を記録することができ、かつメッセージ、映像に適宜変化を持たせることができる。のみならず、音楽ないし音声情報を含めることができるため、より多くの情報を披露宴出席者に提供でき、情報の提供効果を大幅に向上しうる。
【００３１】
図６，図７には、移動式コンピュータ７の一例を示す。
【００３２】
該移動式コンピュータ７は、床面に載置されかつ移動自在な基台８と、該基台８から立ち上がる支持フレーム９の上端でほぼ腰高さに支持されたディスプレイ１０と、前記基台８の内部に収納されかつ前記ディスプレイと接続されたコンピュータ本体１１とを含んで構成されたものが例示される。
【００３３】
前記基台８は、本例では上壁部８ａと、下壁部８ｂと、該上壁部８ａと下壁部８ｂとの間を継ぐ左右の側壁部８ｃ、８ｃ、背壁部８ｄとを含む小高さの箱体状をなし内部に収容空間１３を形成している。前記下壁部８ｂには、移動自在なキャスタ輪１４が固着される。これにより、基台８は、床面を滑らかに移動できる。また図７に示すように、本例の背壁部８ｄは、例えばヒンジ１２等によりその上縁が上壁部８ａに開閉自在に取り付けられる。これにより、基台８は、その背面側に前記収容空間１３へアクセスしうる出入り口が設けられる。
【００３４】
前記支持フレーム９は、本例では扁平な矩形断面を有した角パイプ状をなし、前記基台８の上壁部８ａのほぼ中央部から立設している。なおこの支持フレーム９の中空部は、前記上壁部８ａに設けられた開口部８ｅを介して前記収容空間１３と連通している。
【００３５】
支持フレーム９の上端部には、ディスプレイ１０が取り付けられている。該ディスプレイ１０は、一対の取付具１６、１６を支持フレーム９の両端面にネジ等にて上下方向に首振り可能に取り付けられたものが例示される。ディスプレイ１０の設置高さは特に制限はなく、披露宴出席者が立ち止まって楽な姿勢で見ることができるように腰高さ程度、より具体的には、ディスプレイ１０の下縁高さが７００〜１３００mm程度が好ましい。なお本実施形態では、ディスプレイ１０として薄型の液晶ディスプレイが採用されたものが例示される。
【００３６】
ディスプレイ１０の信号ケーブルＣ１及び電源ケーブルＣ２は、いずれも支持フレーム９の中空部を通って基台８の収容空間１３に導かれ、信号ケーブルＣ１は、基台８の収容空間１３に配されたコンピュータ本体１１と接続される。また電源ケーブルＣ２は、前記収容空間１３から背壁部に設けた小孔から引き出され商用電源へと接続される。これにより、ディスプレイ１０のケーブルを外部から目隠しして基台８まで引き込みでき、美観の悪化を防止している。
【００３７】
またディスプレイ１０は、動画データを液晶表示する表示部１０ａと、その周囲の外枠部１０ｂとを有し、この外枠部１０ｂを額縁状に化粧仕上げしたものが例示される。具体的には、外枠部１０ｂの正面部分に木目調のカッティングシート１７を貼り付けるとともに、該外枠部の外周部に木目調の額縁枠１８を固着している。なお前記カッティングシート１７は、前記支持フレーム９及び基台８の外周面にも貼り付けられている。
【００３８】
さらに図８に示すように、ディスプレイ１０には、記念ネームプレート２２を取り付けることもできる。この記念ネームプレート２２は、例えばゴールド、シルバー又はプラチナ等の金属プレートに、「Wedding Memory」といった言葉と、結婚当事者のイニシャルなどを刻印する他、新婦の誕生石２４などを取り付けることができる。このネームプレート２２は、ディスプレイ１０にビス２３等を用いて脱着自在に取り付けできる。
【００３９】
前記コンピュータ本体１１は、基台８の内部に収納可能な超小型のもので、例えば１６０×１５０×５０（mm）程度の筐体が使用されている。またこのコンピュータ本体１１には、ＣＰＵ、メモリ、ＯＳないし動画再生ソフト等をインストールしたハードディスク、映像信号を前記ディスプレイ１０に出力しうるビデオ機能部のほか、前記動画データが記録された記録媒体６を読み取り可能なドライブ装置２０が設けられている。本実施形態では、ＤＶＤドライブが設けられる。このＤＶＤドライブは、スロットインタイプでも良いし、本体１１から出入りするトレータイプでも良い。このコンピュータ本体１１は、別体をなすＡＣアダプタ２１を介して直流電源が供給される。
【００４０】
またコンピュータ本体１１には、図示しないキーボードやマウスの接続ポートを具える。コンピュータ本体１１のセッティングに際しては、これらの入力機器を接続して行うことができる。そして、ドライブ装置２０に記録媒体が挿入されると、そこに記録された動画データが自動的に連続再生されるようにセッティングしておくことが望ましい。
【００４１】
このような移動式コンピュータ７は、背壁部８ｄを閉じることによって、少なくとも正面祝からコンピュータ本体１１やディスプレイ１０からのケーブルを覆い隠すことができ、しかも基台８、支持フレーム９及びディスプレイ１０の外周面などに化粧仕上げを施すことによって、無機質的になりがちなコンピュータの見映えの悪化を防止し、披露宴会場等の雰囲気を損ねることもない。
【００４２】
そして、前記動画データを記録した記録媒体６をコンピュータ本体１１のドライブ装置２０に投入して再生する。これにより、ディスプレイ１０には、動画データが繰り返し再生される。繰り返し再生されることにより、披露宴会場に順次到着した出席者の全員に情報（動画データ）を提供することができる。
【００４３】
披露宴が終了した後は、前記動画データが記録された記録媒体６を結婚当事者に提供する（ステップＳ５）。図２には、記録媒体６をネームプレートを設けた盾に取り付けて記念品として結婚当事者に提供するものを示す。記録媒体６の提供を受けた結婚当事者は、例えば家庭のパーソナルコンピュータでこの記録媒体６を再生し、自らの披露宴の記念とすることができる。また本実施形態では、記録媒体６のみならず、ネームプレート２２も結婚当事者に提供する態様が示される。
【００４４】
このネームプレート２２は、図９（Ａ）、（Ｂ）に示すように、ディスプレイ１０に固着されていたビス２３に支持用の長軸２５を該ネームプレート２２を挟んで螺着することにより、該ネームプレート２２を図９（Ｂ）に示すように、置物として用いることができる。これは、結婚当事者へのサービスをより高める点で望ましい。
【００４５】
以上説明したように、本発明では、結婚当事者の写真をイメージ情報として取り込んでコンピュータで再生可能な動画データを作成する工程、及びロビー、待合室入口、受付、その他宴出席者が閲覧可能な場所に設置されたディスプレイ１０に前記動画データを繰り返し表示させる工程を含むことにより、従来の固定的なメッセージを表示するウエルカムボードに比べ、メッセージなどを自由に変化て表示しうるため、出席者により多くの情報を伝達するのに役立つ。さらに動画データは、結婚当事者の写真をイメージ情報として取り込んで作成されるため、実際の人物撮影などに比して、製作に要する手間、時間、コストを大幅に軽減でき、生産性を向上しうる。
【００４６】
図１０には、本発明の他の実施形態を示している。
【００４７】
この実施形態では、動画データは、サーバコンピュータ３０のハードディスク等に記録される。そして、この記録された動画データは無線又は有線のネットワークを介して各披露宴待合室の入口に設けた移動式コンピュータ７に送信される態様を示す。このように、本発明は種々の態様で実施できる。また宴には、披露宴のみならず、各種のセレモニー、例えば結納式、人前婚式などを含むことができる。
【図面の簡単な説明】
【００４８】
【図１】本発明の実施形態を示すフローチャートである。
【図２】それをより具体化して示すブロック図である。
【図３】動画データを作成するステップの一例を示すフローチャートである。
【図４】ひな型動画ファイルの映像信号部のいくつかのフレームを具体的に示す線図である。
【図５】ひな型動画ファイルの映像信号部のいくつかのフレームを具体的に示す線図である。
【図６】移動式コンピュータの一例を示す正面斜視図である。
【図７】移動式コンピュータの一例を示す背面斜視図である。
【図８】ディスプレイの正面図である。
【図９】（Ａ）はネームプレートの一例を示す分解斜視図、（Ｂ）はその側面図である。
【図１０】本発明の他の実施形態を示す概略図である。
【図１１】従来のウエルカムボードを示す全体図である。
【図１２】従来のウエルカムボードを示す拡大図である。
【符号の説明】
【００４９】
２  写真
６  記録媒体
７  移動式コンピュータ
１０  ディスプレイ
【図１】
2005033729.tif 000003
【図２】
2005033729.tif 000004
【図３】
2005033729.tif 000005
【図４】
2005033729.tif 000006
【図５】
2005033729.tif 000007
【図６】
2005033729.tif 000008
【図７】
2005033729.tif 000009
【図８】
2005033729.tif 000010
【図９】
2005033729.tif 000011
【図１０】
2005033729.tif 000012
【図１１】
2005033729.tif 000013
【図１２】
2005033729.tif 000014